(57)【特許請求の範囲】
【請求項１】
金属製の外筒容器と該外筒容器の口部から挿入され、外筒容器の内面に装着され、底部にピンチオフ部を備えた合成樹脂製の内筒容器とから構成され、外筒容器と内筒容器との密着度が高く、外筒容器と内筒容器との間に噴射ガスが存在しない耐食性エアゾール容器において、外筒容器の肩部の傾斜角（α）と内筒容器の肩部の傾斜角（β）との間に、α＞βの関係が成立し、外筒容器の軸方向のビード高さ（Ｃ）と内筒容器の円筒状の首丈（Ｄ）との間に、Ｃ＜Ｄの関係が成立し、外筒容器の肩部下端から外筒容器の底部内面までの寸法（Ａ）と、内筒容器の肩部下端から内筒容器の底部外面の寸法（Ｂ）との間に、Ａ＞Ｂの関係が成立し、外筒容器の底部を水平に形成し、肩部と底部において間隙が形成されることを特徴とする耐食性エアゾール容器。
【請求項２】
前記合成樹脂製の内筒容器が、ポリエチレンまたはポリエチレンを主として他の樹脂を混合した単層で構成されていることを特徴とする請求項１記載の耐食性エアゾール容器。
【請求項３】
前記合成樹脂製の内筒容器が、ポリエチレン／ガスバリア性樹脂／ポリエチレンの多層で構成されていることを特徴とする請求項１記載の耐食性エアゾール容器。
【発明の詳細な説明】
【０００１】
【産業上の利用分野】
この発明は耐食性エアゾール容器に関し、さらに詳しくは外筒容器への内筒容器の挿入・装着が容易な耐食性エアゾール容器に関する。
【０００２】
【従来の技術】
従来、エアゾール容器内に金属腐食性の強い材料、例えばパーマネントウエイブ液、染毛剤等が収納されている。そして、このような金属腐食性の強い強アルカリ性、強酸性、硫化物、ハロゲン化物等を収納できる耐食性エアゾール容器としては、外筒容器の内面が腐食しないように、内面にポリオレフィン系、ポリアミド系、ポリ塩化ビニール系等の合成樹脂をスプレー塗装あるいは粉体塗装等の方法で、塗装した耐食性エアゾール容器がある。しかし、内面にスプレー塗装したエアゾール容器にあっては、内面塗膜の肉厚が一定でなく、また塗膜にピンホールが発生したり、割れが生じたりする問題があり、それ故に収納する内容物のＰＨ領域（アルカリ性、酸性領域）に限界があった。
【０００３】
そこで、外筒容器の内面形状、寸法と完全に一致するように、予め外筒容器と別成形で造られ、かつ外筒容器の口部から挿入・装着された際（内容物の充填前）に、外筒容器の内面に完全に密着する内筒容器が提案され、この内筒容器が装置された耐食性エアゾール容器が提供されるに至った。この内筒容器の肉厚は０．１ｍｍ〜１．０ｍｍとスプレー塗装（０．０２ｍｍ〜０．０７ｍｍ）より厚肉に形成されているから、ピンホールが発生する虞れがなく、また通電値が略ゼロに近い。このような耐食性エアゾール容器としては図３に示すようなものがある。図中、５０は金属製の外筒容器であり、この外筒容器５０の内面には、外筒容器５０の内面形状、寸法に一致する合成樹脂製の内筒容器５１が、外筒容器５０の内面に密着して装着されている。そして、この耐食性エアゾール容器は、内筒容器５１の肩部の傾斜角と、外筒容器５０の肩部の傾斜角とが等しく、また外筒容器５０の底部５２はドーム状に底上げ加工され、それに伴って装着された内筒容器５１の底部５３もドーム状に変形して装着されている。
【０００４】
【発明が解決しようとする課題】
しかしながら、このような発明にあっては以下に示すような欠点がある。
（１）内筒容器５１を挿入・装着する場合において、絞られた外筒容器５０の狭い口部５４から、しぼめられた状態の内筒容器５１を、外筒容器５０内に挿入・装着する際の挿入・装着作業が頗る面倒であり、作業のスピード化が図れない。
（２）外筒容器５０の底部５２がドーム状に形成されており、ブロー成形により造られた内筒容器５１にあっては、内筒容器５１の底部５３に形成されたピンチオフ部５５（金型の合わせ目にできる突起部）と、底部５３のドーム頂点の内側とが接触し、内筒容器５１のピンチオフ部５５に集中的に応力が加わり、内筒容器５１の底部５３に割れが発生する虞れがある。
【０００５】
この発明は、このような従来の課題に着目してなされたもので、外筒容器内への内筒容器の挿入・装着作業が容易であり、かつ内筒容器の底部に割れが発生しない耐食性エアゾール容器を提供することを目的とする。
【０００６】
【課題を解決するための手段】
この課題を解決するため、この発明は、金属製の外筒容器と該外筒容器の口部から挿入され、外筒容器の内面に装着され、底部にピンチオフ部を備えた合成樹脂製の内筒容器とから構成され、外筒容器と内筒容器との密着度が高く、外筒容器と内筒容器との間に噴射ガスが存在しない耐食性エアゾール容器において、外筒容器の肩部の傾斜角（α）と内筒容器の肩部の傾斜角（β）との間に、α＞βの関係が成立し、外筒容器の軸方向のビード高さ（Ｃ）と内筒容器の円筒状の首丈（Ｄ）との間に、Ｃ＜Ｄの関係が成立し、外筒容器の肩部下端から外筒容器の底部内面までの寸法（Ａ）と、内筒容器の肩部下端から内筒容器の底部外面の寸法（Ｂ）との間に、Ａ＞Ｂの関係が成立し、外筒容器の底部を水平に形成し、肩部と底部において間隙が形成されることを特徴とする耐食性エアゾール容器である。
【０００７】
【作用】
以上のような構成をもった、この発明の作用について説明する。この発明に係る第１の発明および第２の発明にあっては、内筒容器を外筒容器に挿入・装着する際、外筒容器と内筒容器との間に、一定の間隙が形成されるので、挿入・装着作業が頗る容易である。また、第３の発明においては、内筒容器の底部のピンチオフ部に、集中的な応力が加わらない。
【０００８】
【実施例】
次に、この発明に基づいて説明する。図１は、この発明に係る耐食性エアゾール容器の実施例を示すもので、１はアルミニウム等の金属で造られた外筒容器であり、この外筒容器１内には、合成樹脂製の内筒容器２が挿入・装着されている。内筒容器２の層構成はポリエチレンまたはポリエチレンを主として他の樹脂を混合した単層、またはポリエチレン／ガスバリア性樹脂／ポリエチレン等の多層構成が考えられる。ガスバリア性樹脂としては、エチレン−酢酸ビニル共重合体ケン化物、ナイロン、アクリロニトリル系熱可塑性樹脂等が考えられる。外筒容器１と内筒容器２とは、挿入・装着時に密着しうるものが望ましいが、外筒容器１への挿入・装着を考慮すると、密着度が高い程挿入・装着が困難であり、発明者等は特に内筒容器２の肩部２ａと底部２ｂにおいて、外筒容器１との間に間隙を形成することにより、内筒容器２の挿入・装着作業を容易にすることを見い出した。
【０００９】
この発明に係る第１の発明は、第２図に示すように外筒容器１の肩部１ａの傾斜角αと、内筒容器２の肩部２ａの傾斜角βとの間に、α＞βの関係が成立し、かつ外筒容器１の軸方向のビード高さＣと、内筒容器２の首丈Ｄとの間に、Ｃ＜Ｄの関係が成立するように、外筒容器１および内筒容器２の寸法を決定すれば外筒容器１と内筒容器２との間に十分な間隙が生じるので、この場合肩部２ａおよび２ｃの挿入・装着作業が頗る容易になると共に、作業時において、肩部２ａおよび首部２ｃの損傷を防止できる。そして少なくとも、α＞βまたはＣ＜Ｄであれば上記効果を満足できる。
【００１０】
また、この発明に係る第２の発明において、外筒容器１の肩部１ａ下端から外筒容器１の底部１ｂ内面までの寸法Ａと、内筒容器２の肩部２ａ下端から内筒容器２の底部２ｂ外面までの寸法Ｂとの間にＡ＞Ｂの関係が成立するように、外筒容器１および内筒容器２の寸法、形状を決定すれば、外筒容器１と内筒容器２との間で、軸方向において間隙が形成される。すなわち、外筒容器１の底部１ｂと、内筒容器２の底部２ｂとの間に間隙が形成されるので、内筒容器２の挿入・装着作業が頗る容易になる。
【００１１】
さらに、この発明に係る第３の発明の特徴は、外筒容器１の底部１ｂを水平に形成した点にある。これにより、内筒容器２の底部２ｂに形成されたピンチオフ部２ｅが、外筒容器１の底部１ｂと接触することがない。そして、以上説明したこの発明に係る内筒容器２の肉厚は、前記したようにスプレー塗装による肉厚より厚いため、ピンホールが発生しないと共に、肉厚が略一定であるため、充填される内容物のＰＨ領域を広げることができる。
【００１２】
次に、この発明に係る耐食性エアゾール容器の組付け方法について説明する。内筒容器２を、半径方向にしぼめた後、外筒容器１の口部１ｄから外筒容器１内へ挿入・装着される。その後、外筒容器１のビード部１ｃ上に内筒容器２の鍔部２ｄが載置され、その上からマウンティングカップ３がクリンチされる。そして最後にバルブ４を介して、内容物が内筒容器２内に充填される。外筒容器１と内筒容器２との間には、ガス等が存在しないので、内容物の充填により内筒容器２は多少膨張し、外筒容器１と内筒容器２との間隙は小さくなる。なお、この発明に係る外筒容器１の内面には、内筒塗装が施されてもよい。
【００１３】
【発明の効果】
以上説明してきたように、この発明に係る耐食性エアゾール容器によれば、外筒容器内への内筒容器の挿入作業が頗る容易であり、作業のスピード化が図れる。かつ内容物充填後において、内筒容器の底部に割れが発生するのを防止することができる効果を奏する。
【図面の簡単な説明】
【図１】この発明に係る耐食性エアゾール容器の正面断面図。
【図２】この発明に係る耐食性エアゾール容器において、外筒容器および内筒容器の形状、寸法を示した断面図。
【図３】従来の耐食性エアゾール容器の正面断面図。
【符号の説明】
１  外筒容器
１ａ  肩部
１ｂ  底部
１ｄ  口部
２  内筒容器
２ａ  肩部
２ｂ  底部
【図１】
0003687009.tif 000002
【図２】
0003687009.tif 000003
【図３】
0003687009.tif 000004